(57)【要約】【課題】ファインダ内部のＥＶＦパネルに表示される固定パターンの焼き付きを目立たなくする撮像装置が提供される。【解決手段】被写体の画像を表示する表示面を有し、予め定められた形状の固定パターンを、表示面において被写体の画像が表示される領域内の予め定められた固定領域に表示する表示部と、表示面に対向して配置され、表示面からの光を通過させるフィルタ部であって、固定領域と対向する対向領域の曇り度が可変なフィルタ部とを備える撮像装置。【選択図】図２
2014036270.tif 000002
【特許請求の範囲】
【請求項１】
被写体の画像を表示する表示面を有し、予め定められた形状の固定パターンを、前記表示面において前記被写体の画像が表示される領域内の予め定められた固定領域に表示する表示部と、
前記表示面に対向して配置され、前記表示面からの光を通過させるフィルタ部であって、前記固定領域と対向する対向領域の曇り度が可変なフィルタ部と、
を備える撮像装置。
【請求項２】
前記固定パターンを前記固定領域に表示するか否かを制御する表示制御部と、
前記固定パターンを表示しているか否かにより、前記対向領域の前記曇り度を制御する曇り度制御部と、
をさらに備える請求項１に記載の撮像装置。
【請求項３】
前記曇り度制御部は、前記表示面の輝度の時間累積値に応じて、前記対向領域の前記曇り度を制御する
請求項２に記載の撮像装置。
【請求項４】
前記曇り度制御部は、前記被写体に対するピントの度合いに応じて、前記対向領域の前記曇り度を制御する
請求項２または３に記載の撮像装置。
【請求項５】
前記曇り度制御部は、前記表示面が前記固定パターンを意図的に表示していないときの前記対向領域の曇り度を、意図的に表示しているときの前記対向する領域の曇り度より大きくする請求項２から４のいずれか一項に記載の撮像装置。
【請求項６】
前記曇り度制御部は、前記対向領域の前記曇り度を前記対向領域のエッジに近づくほど徐々に増加させる
請求項５に記載の撮像装置。
【請求項７】
前記曇り度制御部は、前記表示面と同一面に形成され、画像を表示しないダミー表示面の輝度を予め定められた周期でサンプリングした輝度値と、前記固定パターンの現在の輝度値との差分である輝度差を計算し、当該輝度差が予め定められた閾値を超えた場合に、前記フィルタ部の前記対向する領域の曇り度を増加させる
請求項２から４のいずれか一項に記載の撮像装置。
【請求項８】
前記曇り度制御部は、ＲＧＢ画素ごとに前記輝度差を計算し、当該計算結果に基づいて、前記対向領域の曇り度の増加の度合いを調節する
請求項７に記載の撮像装置。
【請求項９】
前記表示部はＥＶＦパネルである
請求項１から８のいずれか一項に記載の撮像装置。
【請求項１０】
前記ＥＶＦパネルは、有機ＥＬ素子を含む
請求項９に記載の撮像装置。
【請求項１１】
前記被写体の画像を表示する表示面を有し、予め定められた形状の固定パターンを、前記表示面において前記被写体の画像が表示される領域内の予め定められた固定領域に表示する、前記撮像装置の背面に設けられた背面表示部と、
前記表示面に対向して配置され、前記表示面からの光を通過させる第２のフィルタ部であって、前記固定領域と対向する対向領域の曇り度が可変な第２のフィルタ部と、
をさらに備え、
前記表示部の前記固定領域または前記背面表示部の前記固定領域のいずれか一方が、前記固定パターンを表示する
請求項１から１０のいずれか一項に記載の撮像装置。
【請求項１２】
前記背面表示部は、有機ＥＬ素子を含む
請求項１１に記載の撮像装置。
【請求項１３】
前記フィルタ部は、エレクトロクロミック材料を含む
請求項１から１２のいずれか一項に記載の撮像装置。
【発明の詳細な説明】
【技術分野】
【０００１】
本発明は、撮像装置に関する。
【背景技術】
【０００２】
従来、撮像装置のファインダ内部に設けられたＥＶＦパネル上に、カメラの各種設定に関する設定情報をパターン化して、被写体の画像と重畳して表示していた（例えば、特許文献１参照）。
特許文献１  特開２００９−２８２１５１号公報
【発明の概要】
【発明が解決しようとする課題】
【０００３】
当該パターンを、ＥＶＦパネル上に長時間表示するとＥＶＦパネルが焼き付きを起こしてしまう。これに対して、ＥＶＦパネル上におけるパターンの表示位置を変化させる技術が知られているが、ＥＶＦパネル上に表示されるパターンの位置が、たびたび変化すると、ファインダをのぞき込むときにユーザは違和感をもつ。
【課題を解決するための手段】
【０００４】
本発明の態様においては、被写体の画像を表示する表示面を有し、予め定められた形状の固定パターンを、表示面において前記被写体の画像が表示される領域内の予め定められた固定領域に表示する表示部と、表示面に対向して配置され、表示面からの光を通過させるフィルタ部であって、固定領域と対向する対向領域の曇り度が可変なフィルタ部と、を備える撮像装置を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】撮像装置の要部断面図である。
【図２】図１に示す撮像装置のファインダ部近傍を拡大した断面図である。
【図３】撮像装置のシステム構成を概略的に示すブロック図である。
【図４】ファインダ窓を介して視認される重畳表示を示した図である。
【図５】焼き付いた固定パターンをフィルタ部により曇らせた状態を示した図である。
【図６】表示部の固定パターンをグラデーションにより曇らせる実施形態を示す図である。
【図７】ピントが合わない状態において固定パターンを曇らせた例を示す図である。
【図８】ピントが合った状態において固定パターンを曇らせた例を示す図である。
【図９】ダミー表示面を有する表示部の実施形態を示す図である。
【図１０】累積時間に応じて、固定パターンを曇らせる処理のフロー図である。
【図１１】ダミー表示面と表示部の固定パターンとの輝度差に応じて、固定パターンを曇らせる処理のフロー図である。
【図１２】ピントが合っているか否かに応じて、固定パターンを曇らせる処理のフロー図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る撮像装置１００の要部断面図である。本例において、撮像装置１００は、ライブビュー機能付きのデジタルカメラである。ただし、撮像装置１００は、ライブビュー機能付きのカメラに限定されず、後述する固定パターンが被写体画像に重畳して表示される表示装置を有する撮像装置であればよい。
【０００９】
撮像装置１００の背面には、背面表示部６１、決定ボタン、十字キー、ライブビューボタン、ファインダ窓６７、近接センサ等が設けられている。撮像装置１００の側面には、照度センサ等が設けられている。また、撮像装置１００の上面には、シャッタボタンが設けられている。
【００１０】
背面表示部６１には、撮影された被写体の画像が表示される他、撮像装置１００の各種設定に関する様々な設定情報、メニュー項目等が表示される。本例の背面表示部６１および後述する電子ビューファインダ（ＥＶＦ）における表示部７０には同一の内容が表示可能である。本例の背面表示部６１は、表示部７０よりも焼き付きの度合いが少ないパネルを有する。焼き付きの度合いが少ないとは、同一の画素値の画像を同一の時間表示したときの、輝度の劣化の度合いが少ないことを指す。例えば背面表示部６１は液晶パネルを有し、表示部７０は有機ＥＬパネルを有する。
【００１１】
ユーザは、十字キー、決定ボタンおよび他の操作部材を操作することにより、背面表示部６１に画像データ、メニュー項目等を順次表示させて視認しながら、特定の項目を選択、実行する指示を撮像装置１００に与えることができる。例えば、ユーザは、十字キーによりアクティブなメニュー項目を上下左右に移動させた後に、十字キーの中心部に設けられた決定ボタンを押下げることにより、アクティブにしたメニュー項目を撮像装置１００に設定、実行させることができる。
【００１２】
ライブビューボタンは、撮像素子３６の受光面に結像する被写体画像を逐次光電変換して表示用の画像データを生成し、これを背面表示部６１に連続的に表示させるライブビューを開始させるボタンである。ユーザは、ライブビューボタンを押し下げることにより、ファインダ窓６７を介した被写体観察から、背面表示部６１による被写体観察に切り替えることができる。さらに、再度ライブビューボタンを押し下げれば、ファインダ窓６７を介した被写体観察に戻すことができる。
【００１３】
撮像装置１００は、光軸１１に沿って配列されたレンズ群２１を備える。レンズ群２１には、フォーカスレンズ、ズームレンズ等が含まれ、焦点調整、画角調整の指示に応じて光軸方向に各レンズが移動できるように構成されている。
【００１４】
撮像素子３６は、レンズ群２１から入射される被写体光束を逐次光電変換して画像信号を生成する。画像信号は、画像データに変換され、後段の画像処理部５１において表示用の画像が生成される。撮像素子３６で光電変換された電気信号は、メイン基板５０に搭載されたＤＳＰである画像処理部５１で画像データに処理される。メイン基板５０には、画像処理部５１の他に、撮像装置１００のシステムを統合的に制御するＭＰＵであるカメラシステム制御部５２が搭載されている。カメラシステム制御部５２は、カメラシーケンスを管理すると共に、各構成要素の入出力処理等を行う。また、撮像装置１００には、着脱可能な二次電池５４が収容されてよい。
【００１５】
撮像装置１００の内部上部には、撮像装置１００の内部から光が進む方向に向かって、順に、表示部７０、フィルタ部８０、光学系８２、ファインダ窓６７が設けられている。表示部７０は、画像処理部５１において生成された被写体の画像を表示する表示面を有する。図４に示すように、表示面７２は、被写体の画像１５１に重畳して、予め定められた固定領域７６に固定パターン２１０を表示する。固定領域７６とは、表示面７２にあって、固定パターン２１０を表示する領域を指す。固定領域７６の面積は、固定パターン２１０の面積の総和より大きい。表示面７２における固定領域７６の位置は固定されている。例えば、図５に示すように固定領域７６は、表示面７２の下辺に沿って配置される帯状の領域である。表示部７０は、固定領域７６において、予め定められた形状の固定パターン２１０を表示する。ここで、予め定められた形状とは、被写体に依存することなく予め定められた形状を有するパターンを指す。
【００１６】
本例の固定パターン２１０は、被写体とは無関係の文字、記号、もしくは図形またはこれらと色の組み合わせからなる、カメラの状態を示す各種情報等を表すアイコンである。固定パターン２１０は、例えば、フラッシュ機能、連続シャッタースピード調節機能、露出調節機能、絞り値調節機能、記録可能撮影数、顔自動認識機能、電池残量等を表すアイコンである。固定パターン２１０の形状、色、模様等は変化してもよい。例えば、電池残量を表す電池残量表示アイコン２１４は、電池残量の多寡に応じて形状または模様等が変化する。ユーザは、ファインダ窓６７を介して、固定パターン２１０を、被写体の画像１５１に重ねて観察することができる。
【００１７】
表示部７０および背面表示部６１は、所定の状態を検出したこと等により、いずれが被写体の画像１５１および固定パターン２１０を表示するかが切り替えられる。例えば、ユーザがファインダ窓６７を覗き込んだことを検出した場合、または、外光による背面表示部６１の照度が所定値以上となった場合に、表示部７０が被写体の画像等を表示してよい。また、ユーザの指示により、表示部７０および背面表示部６１のいずれが被写体の画像等を表示するかが切り替わってもよい。
【００１８】
近接センサ６８は、ユーザがファインダ窓６７に近接したか否か、すなわちユーザがファインダ窓６７を覗いているか否かを検出する。従って、近接センサ６８はファインダ窓６７の近傍に設けられている。近接センサ６８は、例えば赤外線の投光部および受光部から構成される。撮像装置１００の左側部には照度センサ６９が備えられている。照度センサ６９は、背面表示部６１の近傍において、撮像装置１００の周辺環境の照度を検出するセンサである。
【００１９】
本例では、表示部７０は背面表示部６１よりも焼き付きの度合いが大きい。このため、表示部７０では、固定パターン２１０の焼き付きがより目立つ。撮像装置１００では、表示部７０とファインダ窓６７との間に、表示面７２に対向して配置され、表示面７２からの光を通過させるフィルタ部８０が設けられる。ここで、対向するとは、フィルタ部８０が表示面７２と重なる領域を有するように配置されることを指す。フィルタ部８０は、表示部７０の表示面７２における固定領域７６と対向する対向領域の曇り度が可変であるように構成されている。
【００２０】
ここで、曇り度とは、拡散透過率／全透過率で定義される量を指す。拡散透過率とは、フィルタ部８０に平行光を入射したときの全入射光量に対する、フィルタ部８０から出射される光のうち予め定められた射出角以上の射出角を有する射出光の光量の比を指す。例えば当該射出角は、片側４度である。全透過率とは、フィルタ部８０に平行光を入射したときの入射光量に対する、フィルタ部８０から出射される全光量の比を指す。フィルタ部８０は、上述した対向領域の透過拡散率および全透過率の少なくとも一方が可変である。曇り度の量が大きくなるに従い、フィルタ部８０の対向領域を透過する画像の輪郭がぼけて見える。逆に、曇り度の量が小さくなるに従い、フィルタ部８０の対向領域を透過する画像の輪郭ははっきり見える。
【００２１】
つまり、フィルタ部８０の対向領域の拡散透過率を上げることで、対向領域を通過する固定パターン２１０の解像度を減少させ、固定パターン２１０の輪郭を曖昧にして目立たなくすることができる。または、フィルタ部８０の対向領域の全透過率を下げることで、対向領域を通過する固定パターン２１０の解像度を低下させ、固定パターン２１０の輪郭を曖昧にしてもよい。
【００２２】
上述したように、本例の表示部７０は、有機ＥＬ素子などの自発光型素子から構成されるので、長時間同じ位置に同じ形状のパターンを表示し続けると焼き付きが生じる。焼き付きとは、当該パターンを表示する素子の輝度が、他の素子に比べて暗くなることをいう。このため、当該パターンを意図的に表示していないときでも、当該パターンに応じた素子部分が暗くなり、暗いパターンが表示されてしまう。
【００２３】
有機ＥＬ素子は、陽極、正孔輸送層、発光層、電子輸送層、陰極を順に積層して構成され、正孔輸送層から注入された正孔と、電子輸送層から注入された電子が発光層において再結合したときに生じる励起子から発光する自発光型素子である。発光層を構成する有機化合物は通電により劣化し、徐々に輝度が低下する。つまり、有機ＥＬ素子は寿命を有する。長時間同一の位置に同一形状の固定パターン２１０を表示した有機ＥＬ素子の画素は、それ以外の領域の画素に比べて早く劣化する。
【００２４】
こうして有機ＥＬ素子に不可逆的な焼き付きが生じる。一度焼き付きが生じると、固定パターン２１０が暗く写って見える。フィルタ部８０の対向領域の曇り度を可変とすることができれば、表示部７０の固定領域に生じた固定パターン２１０の焼き付きを目立たなくすることができる。
【００２５】
ひとつの実施形態において、フィルタ部８０は、電圧を印加することにより、発光と消光が可逆的に生じるエレクトロクロミック材料を含んでよい。エレクトロクロミック材料は、印加する電圧によって曇り度が変化する特性を有している。つまり、フィルタ部８０の対向領域に印加する電圧を制御することにより、対向領域の曇り度を他の領域よりも大きい値に調節することができる。したがって、フィルタ部８０は、固定パターンの焼き付きを目立たなくする。フィルタ部８０は、対向領域に印加する電圧を、他の領域に印加する電圧とは独立に制御する構成を有する。また、フィルタ部８０は、対向領域を複数の領域に分割して、領域毎に印加する電圧を制御してもよい。
【００２６】
図２は、図１に示すファインダ窓６７付近の領域ａを拡大して示す。表示部７０、フィルタ部８０、ファインダ窓６７は、表示部７０からの光を通過するそれぞれの面が、表示面７２と垂直でかつ光学系８２の中心を通る光軸８３に対して垂直となり、かつ、それぞれの面が互いに平行となるように、光の進行方向に沿ってこの順で配置される。光学系８２は、フィルタ部８０とファインダ窓６７との間に設けられてよい。
【００２７】
表示部７０は、光軸８３と垂直な表示面７２を有する。フィルタ部８０は、表示面７２と対向し、かつ、光軸８３と垂直な受光面８４を有する。表示面７２と受光面８４は平行に配置され、例えば、１ｍｍ〜２ｍｍの間隔で離隔されて固定される。なお、表示面７２と受光面８４との間には、透明樹脂が充填されていてもよい。表示面７２は固定パターンを表示する固定領域７６を有する。
【００２８】
本例では、固定領域７６は表示面７２の下辺に沿って帯状に設けられる。フィルタ部８０は、受光面８４において、固定領域７６と対向する位置に対向領域８６を有する。つまり、受光面８４の対向領域８６は、光軸８３方向にそって固定領域７６と重なる位置に設けられる。対向領域８６は、表示部７０の表示面７２から照射される光の曇り度を変化させる。したがって、対向領域８６の曇り度を他の領域より大きくするように制御することにより、ユーザがファインダ窓６７から視認する固定パターンの焼き付きを目立たなくすることができる。
【００２９】
表示面７２の寸法は、受光面８４の寸法と同じであってもよく、異なってもよい。後者の場合、フィルタ部８０は、表示面７２の固定領域７６と重なる対向領域８６を受光面８４のいずれかの領域に有すればよい。カメラシステム制御部５２は、表示部７０の固定領域７６に表示される固定パターンの焼き付きの程度に応じた電圧をフィルタ部８０の対向領域８６に印加することで曇り度を調節することができる。
【００３０】
図３は、本実施形態に係る撮像装置１００のシステム構成を概略的に示すブロック図である。撮像装置１００は、レンズシステム制御部２２を中心とするレンズ制御系と、カメラシステム制御部５２を中心とするカメラ制御系により構成される。そして、レンズ制御系とカメラ制御系は、相互に各種データ、制御信号の授受を行う。
【００３１】
カメラ制御系に含まれる画像処理部５１は、カメラシステム制御部５２からの指令に則して、撮像素子３６で光電変換された撮像信号を所定の画像フォーマットに従った画像データに処理する。例えば、静止画像としてＪＰＥＧファイルを生成する場合は、色変換処理、ガンマ処理、ホワイトバランス処理等の画像処理を行った後に適応離散コサイン変換等を施して圧縮処理をする。
【００３２】
また、動画像としてＭＰＥＧファイルを生成する場合は、所定の画素数に縮小して生成した連続する静止画としてのフレーム画像に対して、フレーム内符号化、フレーム間符号化を施して圧縮処理をする。
【００３３】
カメラメモリ１３２は、例えばフラッシュメモリなどの不揮発性メモリであり、撮像装置１００を制御するプログラム、各種パラメータなどを記憶する役割を担う。ワークメモリ１３３は、例えばＲＡＭなどの高速アクセスできるメモリであり、処理中の画像データを一時的に保管する役割などを担う。
【００３４】
表示制御部１３４は、カメラシステム制御部５２の指示に従って、表示部７０または背面表示部６１のいずれかに被写体の画像を表示させるべく制御する。表示制御部１３４は、ユーザの指示に応答して、カメラメモリ１３２に記憶されている固定パターンを表示部７０の固定領域７６に重畳的に表示させる。表示制御部１３４は固定パターンを固定領域７６に表示するか否かを制御する。
【００３５】
他の例において、表示制御部１３４は、固定パターンを背面表示部６１に表示させてもよい。本例において背面表示部６１は、被写体の画像を表示する表示面を有する。背面表示部６１は、予め定められた形状の固定パターンを、当該表示面において被写体の画像が表示される領域内の予め定められた固定領域に表示する。また、第２のフィルタ部が、背面表示部６１の表示面と対向して配置される。当該第２のフィルタ部は、固定領域と対向する対向領域の曇り度が可変である。表示部７０の固定領域または背面表示部６１の固定領域のいずれか一方が、固定パターンを表示する。
【００３６】
カメラシステム制御部５２は、ユーザの指示に応答して、表示部７０または背面表示部６１のいずれの固定領域に固定パターンを表示させるかを表示制御部１３４に指示してよい。また、カメラシステム制御部５２は、近接センサ６８からの信号に応答して、ユーザがファインダ窓６７を覗いているときには、表示部７０の固定領域に固定パターンを表示し、ユーザがファインダ窓６７を覗いていないときには、背面表示部６１の固定領域に固定パターンを表示するように表示制御部１３４に指示してもよい。ここで、背面表示部６１は、有機ＥＬ素子からなるディスプレイであってよい。なお、背面表示部６１に表示する固定パターン、第２のフィルタ部の構成、曇り度の調節等については、上述した表示部７０と同様なので説明を省略する。
【００３７】
曇り度制御部１３５は、固定パターンを表示しているか否かにより、曇り度を制御する。つまり、曇り度制御部１３５は、表示部７０の固定領域７６に固定パターンを意図的に表示しているとき、フィルタ部８０の対向領域８６に印加する電圧を制御して当該対向領域８６の曇り度を他の領域と同程度まで低くする。これにより、固定パターンを表示しているときは、固定領域７６に含まれる被写体の画像の輝度が低くなることを避けることができる。一方、曇り度制御部１３５は、表示部７０の固定領域７６に固定パターンを意図的に表示していないときにおいて、表示部７０に焼き付きが生じている場合には、フィルタ部８０の対向領域８６に印加する電圧を制御して当該対向領域８６の曇り度を他の領域に比べ高くする。これにより、焼き付きを目立たなくすることができる。
【００３８】
カメラシステム制御部５２は、曇り度制御部１３５を介して、フィルタ部８０を制御し、対向領域８６の曇り度を変化させる。曇り度制御部１３５は、カメラシステム制御部５２の指示に従って、フィルタ部８０に適切な電圧を印加することにより対向領域８６の曇り度を変化させる。後述するように、曇り度制御部１３５は、表示部７０の使用累積時間、輝度低下の度合い、ピントの度合い等に応じて、対向領域８６の曇り度を変化させる。
【００３９】
近接センサ６８は、ユーザがファインダ窓６７を覗いたことを検出すると、検出信号をカメラシステム制御部５２に出力する。カメラシステム制御部５２は、近接センサ６８から検出信号が入力されると、表示制御部１３４を制御して、背面表示部６１を非表示状態に切り替える。カメラシステム制御部５２は、ユーザが固定パターン非表示状態を選択した場合または固定パターン表示状態を選択した後一定時間経過した場合に、曇り度制御部１３５を制御して、フィルタ部８０の対向領域８６の曇り度を変化させる。
【００４０】
照度センサ６９は、検出した撮像装置１００の周囲環境の照度値をカメラシステム制御部５２に出力する。カメラシステム制御部５２は、検出された照度値に従って、表示制御部１３４を介して、背面表示部６１の明るさを制御する。
【００４１】
操作入力部１３８は、十字キー、決定ボタン等の操作部材が操作されたことを検出して、カメラシステム制御部５２へ出力する。操作入力部１３８は、ユーザの選択に応じて、固定パターン表示状態、固定パターン非表示状態をカメラシステム制御部５２へ出力する。モード切替部１３９は、ユーザによる撮影モードの設定を受け付けて、カメラシステム制御部５２へ出力する。撮影モードは、動画撮影モード、および、静止画撮影モードを含む。
【００４２】
図４は、ファインダ窓６７を介して視認される重畳表示２００の例を示した図である。ユーザは、ファインダ窓６７から、表示部７０を介して被写体の画像１５１を視認できる。ユーザが操作入力部１３８において固定パターン表示状態を選択した場合には、カメラシステム制御部５２は、表示制御部１３４を制御して、被写体の画像１５１に固定パターン２１０を重畳して表示させる。固定パターン２１０は、例えば、フラッシュ機能アイコン２１１、顔認証機能アイコン２１２、露出インジケータアイコン２１３、電池残量表示アイコン２１４などを含む。
【００４３】
カメラシステム制御部５２は、ユーザが操作入力部１３８において固定パターン非表示状態を選択した場合には、表示部７０の固定領域７６に固定パターンを重畳的に表示させない。表示制御部１３４は、ユーザが固定パターン表示状態を選択した場合であっても、一定時間経過後に固定パターンの表示を中止してよい。こうすることで、固定パターン２１０の累積表示時間を短縮できるので固定パターン２１０の焼き付きを先延ばしすることができる。
【００４４】
図５は、固定領域７６の曇り度を変化させた場合に、ファインダ窓６７を介して視認される重畳表示２００の例を示した図である。曇り度制御部１３５は、表示面７２が固定パターンを意図的に表示していないときのフィルタ部８０における対向領域８６の曇り度を、意図的に表示しているときのフィルタ部８０における対向領域８６の曇り度より大きくする。
【００４５】
カメラシステム制御部５２は、ユーザが固定パターン非表示状態を選択したか、または、固定パターン表示状態を選択したが一定時間経過後に当該固定パターンの表示が中止された場合に、固定パターン２１０の焼き付きを目立たなくするべく、曇り度制御部１３５を制御して対向領域８６の曇り度を変化させる。
【００４６】
曇り度制御部１３５は、表示面７２の輝度の時間積分値に応じて、フィルタ部８０の対向領域８６の曇り度を制御してよい。上述したように、表示部７０が有機ＥＬ素子から構成される場合、表示時間に応じて、輝度が低下する。有機ＥＬ素子が劣化すると、特に発光層である有機物に構造変化が起こり、発光効率が変化する。すなわち、電子と正孔との再結合の頻度が減少し、輝度が低下する。つまり、輝度の低下は、電流値を計測することにより観測することができる。さらに劣化が進めば、電流を多く流しても輝度は上がらなくなる。
【００４７】
カメラシステム制御部５２は、電流値を累積的に計測し、そこから表示面７２の輝度Ｌ（ｔ）の時間累積値を推測する。輝度の時間累積値が有機ＥＬ素子の寿命を表す閾値Ｔｔｈを超えたとき、カメラシステム制御部５２は、曇り度制御部１３５を介して対向領域８６の曇り度を他の領域に比べて高くする。こうすることにより、固定パターン２１０の焼き付きを目立たなくすることができる。輝度の時間累積値は、輝度Ｌ（ｔ）の時間積分値であってよい。
【００４８】
図６は、ファインダ窓６７を介して視認される重畳表示２００の他の例を示す。本例の曇り度制御部１３５は、フィルタ部８０の対向領域８６の曇り度を対向領域８６のエッジに近づくほど徐々に増加させる点で図６に示す実施形態と異なる。このようにカメラシステム制御部５２は、曇り度の変化にグラデーションを付けて制御することにより、固定パターン２１０の焼き付きをさらに目立たなくすることができる。
【００４９】
カメラシステム制御部５２は、曇り度制御部１３５を制御して、フィルタ部８０の対向領域８６の曇り度をエッジ方向に向かって線形的または非線形的に増加させる。また、カメラシステム制御部５２は、曇り度制御部１３５を制御して、上述した輝度の時間累積値に応じて、グラデーションの度合いを調整してもよい。
【００５０】
他の例において、エッジは固定パターン２１０の最も外側の輪郭線であってもよい。つまり、曇り度制御部１３５は、フィルタ部８０の対向領域８６の曇り度を固定パターン２１０のエッジに近づくほど徐々に増加させてもよい。
【００５１】
図７は、ファインダ窓６７を介して視認される重畳表示２００の他の例を示す。本例では、曇り度制御部１３５は、被写体５００に対するピントの度合いに応じて、フィルタ部８０の対向領域８６の曇り度を制御する点で上述した実施形態と異なる。ここで、被写体５００は、ユーザが選択する被写体、ユーザが選択する被写体の一部、固定領域７６に重畳的に表示される被写体のいずれであってもよい。ファインダ窓６７を介して視認される重畳表示２００において固定パターン２１０の焼き付きは、被写体５００に完全にピントが合っている場合に比べて、被写体５００にピントが合っていない場合の方が比較的目立ちにくい。
【００５２】
したがって、ピントの度合いに応じて、フィルタ部８０の対向領域８６の曇り度を制御するのが好ましい。例えば、図８に示すように、被写体５００にピントが合っていない場合にはカメラシステム制御部５２は、フィルタ部８０の対向領域８６の曇り度を比較的小さくし、固定パターン２１０の輪郭のぼかし具合を小さくする。
【００５３】
一方、図８に示すように、被写体５００にピントが合っている場合には、カメラシステム制御部５２は、フィルタ部８０に対向領域８６の曇り度を比較的大きくし、固定パターン２１０の輪郭のぼかし具合を大きくする。こうすることで、被写体５００にピントを合わせる作業中においても、固定パターン２１０の焼き付きを目立たなくすることができる。撮像装置１００が動画撮像モードにあって、ユーザが動く被写体にピントを合わせる作業をしている場合などに有効である。
【００５４】
図９は、表示部７０の他の例を示す。本例において、表示部７０は、固定パターン２１０を重畳的に表示する表示面７２および何も表示しないダミー表示面９０を有する。曇り度制御部１３５は、表示面７２と同一面に形成され、画像を表示しないダミー表示面９０の輝度を予め定められた周期でサンプリングした輝度値と、固定パターン２１０の現在の輝度値との差分である輝度差を計算する。ここで、輝度差は、有機ＥＬ素子の白色光の輝度の差であってよい。
【００５５】
曇り度制御部１３５は、当該輝度差が予め定められた閾値を超えた場合に、フィルタ部８０の対向領域８６の曇り度を増加させる。ダミー表示面９０は、固定パターン２１０を重畳表示する表示面７２と同一面に形成された有機ＥＬ素子からなる。ダミー表示面９０は、表示部７０のいずれか一辺に沿って形成されてよく、二辺以上を枠のように囲んで形成されてもよい。
【００５６】
カメラシステム制御部５２は、表示制御部１３４を制御して、ダミー表示面９０に、撮像装置１００を最初に起動した時、６月後、１年後、１年６月後、２年後等のように、所定の周期でのみ画像を表示させる。カメラシステム制御部５２は、それ以外は、ダミー表示面９０に画像を表示させない。カメラシステム制御部５２は、曇り度制御部１３５を制御して、同じ周期で、ダミー表示面９０の面全体または複数の代表ポイントにおいて輝度値をサンプリングし、サンプリングした輝度値を平均化して、当該平均化した輝度値をカメラメモリ１３２に記録する。
【００５７】
カメラシステム制御部５２は、固定パターン２１０の現在の輝度値の平均値と、ダミー表示面９０の最近の輝度値の平均値との差分を計算する。輝度値は、電流値を測定することにより観測することができる。差分値が予め定めた閾値を超えた場合には、カメラシステム制御部５２は、曇り度制御部１３５を制御して、フィルタ部８０の固定領域７６と対向する対向領域８６の曇り度を増加させ、固定パターン２１０の焼き付きを目立たなくする。
【００５８】
なお、購入時における表示面７２の初期輝度値に基づいて、現在の固定パターン２１０の輝度値との差分を計算することも考えられるが、本例では、所定の周期でダミー表示面９０から輝度値をサンプリングする。一般に有機ＥＬ素子において、素子の寿命は、通電のみではなく、発光層内の有機物の酸化の程度によっても左右される。したがって、画像を表示せずとも、時間の経過とともに素子は劣化していく。固定領域７６以外の表示面７２においても有機ＥＬ素子の経時的な劣化は生じるので輝度は徐々に低下する。したがって、固定パターン２１０の焼き付きは、最初のころはそれほど目立たない。
【００５９】
しかし、購入時における初期輝度値と、表示面７２の現在の固定パターン２１０の輝度値との差分をとると、輝度差はすぐに閾値に達してしまう。カメラシステム制御部５２は、輝度の差分値が閾値を超えたことに応答し、焼き付きが目立ち始める前の固定領域７６に対向するフィルタ部８０の曇り度を増加させてしまう。その結果、固定領域７６が逆に目立ってしまい、ユーザに不快感を与えうる。よって、本例では、所定の周期でダミー表示面９０からサンプリングした輝度値に基づいて輝度差を計算する。なお、サンプリングの周期は半年に限定されない。ユーザは任意の周期を設定することができる。
【００６０】
他の例において、曇り度制御部１３５は、ＲＧＢ画素ごとに輝度差を計算し、当該計算結果に基づいて、フィルタ部８０の対向領域８６の曇り度の増加の度合いを調節する。つまり、カメラシステム制御部５２は、曇り度制御部１３５を介して、所定の周期でサンプリングしたダミー表示面９０のＲＧＢ画素ごとの輝度の平均値と、現在の固定パターン２１０のＲＧＢ画素ごとの輝度の平均値との差分を計算し、フィルタ部８０の対向領域８６の曇り度の増加の度合いを調節する。たとえば、Ｒ画素およびＢ画素の輝度差は閾値を超えているが、Ｇ画素の輝度差が閾値を超えていない場合には、ＲＧＢ画素の画素ごとの閾値に重み付けをし、輝度差を計算してもよい。
【００６１】
また、Ｇ画素の輝度差が閾値を超えている場合には、Ｇ画素の輝度差は、Ｂ画素およびＲ画素の輝度差に比べ目立つので、カメラシステム制御部５２は、曇り度制御部１３５を制御して、Ｇ画素の輝度差が小さくなるようにフィルタ部８０の対向領域８６の曇り度を増加させる。本例によれば、ＲＧＢ画素ごとに閾値を設定してフィルタ部８０の曇り度を調節することができるので、固定パターン２１０の焼き付きをより目立たなくすることができる。
【００６２】
図１０は、固定パターン２１０の焼き付きを目立たなくする処理の実施形態のフロー図である。ステップＳ１００において、カメラシステム制御部５２は、ファインダ窓６７がユーザにより覗かれているか否かを近接センサ６８を介して判断する。覗かれている場合には次のステップＳ１１０に進み、覗かれていない場合には処理は終了する。次に、ステップＳ１１０において、カメラシステム制御部５２は、操作入力部１３８からのユーザ入力に応答して固定パターン２１０を表示部７０に重畳的に表示するか否かを判断する。
【００６３】
ユーザが固定パターン２１０を表示しないことを選択した場合には、ステップＳ１２０に進み、ユーザが固定パターン２１０を表示することを選択した場合には、ステップＳ１４０に進む。ステップＳ１４０において、カメラシステム制御部５２は、表示制御部１３４を制御して、表示部７０の固定領域７６に固定パターン２１０を表示させる。
【００６４】
次に、ステップＳ１５０において固定パターン２１０の連続表示がタイムアウトか否かを表示制御部１３４が判断し、タイムアウトとなった場合には固定パターン２１０の表示を終了させ、ステップＳ１２０に進む。ステップＳ１２０において、カメラシステム制御部５２は、表示部７０の表示面７２の固定領域７６における固定パターン２１０の輝度Ｌ（ｔ）の時間累積値が閾値Ｔｔｈを超えたか否かを判断する。輝度の時間累積値が閾値Ｔｔｈを超えていない場合には、処理を終了する。輝度の時間累積値が閾値Ｔｔｈを超えている場合には、ステップＳ１３０に進む。ステップＳ１３０において、カメラシステム制御部５２は、曇り度制御部１３５を制御して、フィルタ部８０の対向領域８６の曇り度を増加させかつぼかすことにより、焼き付きを起こした固定パターン２１０の輪郭を目立たなくする。
【００６５】
図１１は、固定パターン２１０の焼き付きを目立たなくする処理の他の実施形態のフロー図である。ステップＳ２００、Ｓ２１０、Ｓ２５０、Ｓ２６０は、図１１に示す実施形態と同様なので説明を省略する。ステップＳ２２０において、カメラシステム制御部５２は、所定の周期で、ダミー表示面９０の全面または複数の代表ポイントの輝度の平均値を測定しカメラメモリ１３２に格納する。また、カメラシステム制御部５２は、現在の固定パターン２１０の輝度の平均値を測定する。
【００６６】
ステップＳ２３０において、カメラシステム制御部５２は、現在の固定パターン２１０の輝度の平均値と、最近のダミー表示面９０の輝度の平均値との差分である輝度差ΔＬを計算し、当該輝度差ΔＬが閾値Ｌｔｈを超えたか否かを判断する。輝度差ΔＬが閾値Ｌｔｈを超えなければ処理は終了する。輝度差ΔＬが閾値Ｌｔｈを超えた場合にはステップＳ２４０に進む。ステップＳ２４０において、カメラシステム制御部５２は、曇り度制御部１３５を制御して、フィルタ部８０の対向領域８６の曇り度を増加させかつぼかすことにより、焼き付きを起こした固定パターン２１０の輪郭を目立たなくする。
【００６７】
図１２は、固定パターン２１０の焼き付きを目立たなくする処理の他の実施形態のフロー図である。ステップＳ３００、Ｓ３１０、Ｓ３５０、Ｓ３６０は、図１１に示す実施形態と同様なので説明を省略する。ステップＳ３２０において、カメラシステム制御部５２が被写体５００にピントが合っているか否かを判断する。被写体５００にピントが合っている場合にはステップＳ３３０に進み、合っていない場合にはＳ３４０に進む。
【００６８】
ステップＳ３４０において、カメラシステム制御部５２は、曇り度制御部１３５を制御して、フィルタ部８０の対向領域８６の曇り度を比較的小さく増加させかつ比較的弱くぼかすことにより、焼き付きを起こした固定パターン２１０の輪郭を目立たなくする。ステップＳ３３０において、カメラシステム制御部５２は、曇り度制御部１３５を制御して、フィルタ部８０の対向領域８６の曇り度を比較的大きく増加させかつ比較的強くぼかすことにより、焼き付きを起こした固定パターン２１０の輪郭を目立たなくする。
【００６９】
なお、図１から図１２の例では、表示部７０に対してフィルタ部８０を設ける構成を説明したが、背面表示部６１が焼き付きを生じるパネルを有する場合、背面表示部６１に対してフィルタ部８０を設けてもよい。また、撮像装置１００は、表示部７０および背面表示部６１の一方のみを有してもよい。この場合、撮像装置１００が有する表示部７０または背面表示部６１に対向してフィルタ部８０が配置される。
【００７０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７１】
１１  光軸、２１  レンズ群、２２  レンズシステム制御部、３６  撮像素子、５０  メイン基板、５１  画像処理部、５２  カメラシステム制御部、５４  二次電池、６１  背面表示部、６７  ファインダ窓、６８  近接センサ、６９  照度センサ、７０  表示部、７２  表示面、７６  固定領域、８０  フィルタ部、８２  光学系、８３  光軸、８４  受光面、８６  対向領域、９０  ダミー表示面、１００  撮像装置、１３２  カメラメモリ、１３３  ワークメモリ、１３４  表示制御部、１３５  曇り度制御部、１３８  操作入力部、１３９  モード切替部、１５１  画像、２００  重畳表示、２１０  固定パターン、２１１  フラッシュ機能アイコン、２１２  顔認証機能アイコン、２１３  露出インジケータアイコン、２１４  電池残量表示アイコン、５００  被写体
【図１】
2014036270.tif 000003
【図２】
2014036270.tif 000004
【図３】
2014036270.tif 000005
【図４】
2014036270.tif 000006
【図５】
2014036270.tif 000007
【図６】
2014036270.tif 000008
【図７】
2014036270.tif 000009
【図８】
2014036270.tif 000010
【図９】
2014036270.tif 000011
【図１０】
2014036270.tif 000012
【図１１】
2014036270.tif 000013
【図１２】
2014036270.tif 000014